(57)【要約】  既存の通信網を利用して設備投資を最小限とし、多種多様なコマンドやデータの通信を可能とする。通信システムは、携帯電話網１４を含む電話網を介した音声通信を制御する電話通信制御回路、および、インターネット網１２を介したデータ通信を制御するインターネット通信制御回路が並列的に動作する携帯端末装置１０と、インタホン子機と接続され、電話網１４を介した音声通信を制御する電話通信制御手段およびインターネット網１２を介したデータ通信を制御するインターネット通信制御手段を備えたコントローラ３０と、を有する。コントローラ３０と携帯端末装置１０との間では、電話網を介した音声信号の送受信と、インターネット網を介した画像データやコマンドの送受信が並列的に実現され、コントローラ３０を介したインタホン子機３８と携帯端末装置１０との間の音声通信および画像通信が実現される。
2009022502.tif 000002
【特許請求の範囲】
【請求項１】
携帯電話網を含む電話網を介した音声通信を制御する電話通信制御手段、および、前記携帯電話網を介することのないインターネット網を介したデータ通信を制御するインターネット通信制御手段を備え、前記電話通信制御手段と前記インターネット通信制御手段とが並列的に動作する携帯端末装置と、
前記インターネット網に接続されたサーバであって、ＵＲＬにより特定される所定の領域にデータを記憶することができるデータベースと、前記インターネット網を介した通信を制御するインターネット通信制御手段と、を備えたサーバと、
操作ボタン、マイク、スピーカおよびカメラを備えたインタホン子機と、インタホン親機とに接続されたコントローラであって、電話網を介した音声通信を制御する電話通信制御手段と、前記インターネット網を介したデータ通信を制御するインターネット通信制御手段と、前記インタホン子機のマイクからの音声信号およびカメラにより撮影された画像データを、前記インタホン親機に伝達するとともに、前記インタホン親機からの音声信号およびコマンドを受け付けて、前記音声信号を前記インタホン子機に伝達するとともに、前記コマンドに応じて、前記インタホン子機を制御する制御手段と、を備えたコントローラと、を有する通信システムであって、
前記コントローラの制御手段が、前記インタホン子機からの操作ボタンの操作或いはカメラによる撮影画像に基づく所定の信号を受信すると、前記コントローラの電話通信制御手段が、前記電話網を使用して前記携帯端末装置の電話通信制御手段に発呼して、前記コントローラと前記携帯端末装置との間の音声通信回線を開き、前記インタホン子機からの音声信号を、前記携帯端末装置に伝達するとともに、前記携帯端末装置から電話網を介して伝達された音声信号を、前記インタホン子機に伝達し、かつ、
前記コントローラの前記インターネット通信制御手段が、前記インターネット網を介して前記カメラにより撮影された画像データを、前記サーバに伝達し、前記サーバのデータベースの前記所定の領域に記憶させ、
前記電話網を介した前記コントローラと前記携帯端末装置との間の音声信号の通信が継続された状態で、前記携帯端末装置のインターネット通信制御手段が、前記インターネット網を介して前記ＵＲＬにアクセスし、前記携帯端末装置のインターネット通信制御手段が、コマンドを前記サーバに送信し、
前記サーバのインターネット通信制御手段が、前記コマンドにしたがって、前記所定の領域に記憶された画像データを、前記携帯端末装置に前記インターネット網を介して送信し、
前記携帯端末装置のインターネット通信制御手段が、前記インターネット網を介して送信された画像データを受信し、受信された画像データが、前記携帯端末装置の表示装置の画面上に表示されることを特徴とする通信システム。
【請求項２】
前記電話網を介した音声信号の通信が継続されている限り、前記コントローラの前記インターネット通信制御手段が、前記インターネット網を介して前記カメラにより撮影された画像データの前記サーバへの伝達を繰り返すことを特徴とする請求項１に記載の通信システム。
【請求項３】
前記電話網を介した音声信号の通信が継続されている限り、前記携帯端末装置のインターネット通信制御手段が、コマンドを前記サーバに繰り返し送信し、
前記サーバのインターネット通信制御手段が、前記コマンドにしたがって、前記所定の領域に記憶された画像データのうち最新の画像データを、前記携帯端末装置に前記インターネット網を介して送信することを特徴とする請求項２に記載の通信システム。
【請求項４】
前記コントローラが家電製品およびセンサに接続され、前記コントローラの制御手段が、前記家電製品およびセンサのオン・オフの制御を含む制御信号を生成して、前記家電製品およびセンサのそれぞれに、制御信号を出力するように構成され、
前記サーバのインターネット通信制御手段が、前記携帯端末装置からインターネット網を介して受信したコマンドを、前記インターネット網を介して、前記コントローラに転送し、
前記コントローラのインターネット通信制御手段が、前記コマンドを受信し、
前記コントローラの制御手段が、前記コマンドに基づいて、制御信号を生成することを特徴とする請求項１ないし３の何れか一項に記載の通信システム。
【請求項５】
携帯電話網を含む電話網を介した音声通信を制御する電話通信制御手段、および、前記携帯電話網を介することのないインターネット網を介したデータ通信を制御するインターネット通信制御手段を備え、前記電話通信制御手段と前記インターネット通信制御手段とが並列的に動作する携帯端末装置と、
操作ボタン、マイク、スピーカおよびカメラを備えたインタホン子機と、インタホン親機とに接続されたコントローラであって、電話網を介した音声通信を制御する電話通信制御手段と、前記インターネット網を介したデータ通信を制御するインターネット通信制御手段と、前記インタホン子機のマイクからの音声信号およびカメラにより撮影された画像データを、前記インタホン親機に伝達するとともに、前記インタホン親機からの音声信号およびコマンドを受け付けて、前記音声信号を前記インタホン子機に伝達するとともに、前記コマンドに応じて、前記インタホン子機を制御する制御手段と、ＵＲＬにより特定される所定の領域にデータを記憶することができるデータベースと、を備えたコントローラと、を有する通信システムであって、
前記コントローラの制御手段が、前記インタホン子機からの操作ボタンの操作或いはカメラによる撮影画像に基づく所定の信号を受信すると、前記コントローラの電話通信制御手段が、前記電話網を使用して前記携帯端末装置の電話通信制御手段に発呼して、前記コントローラと前記携帯端末装置との間の音声通信回線を開き、前記インタホン子機からの音声信号を、前記携帯端末装置に伝達するとともに、前記携帯端末装置から電話網を介して伝達された音声信号を、前記インタホン子機に伝達し、かつ、
前記コントローラの制御手段が、前記カメラにより撮影された画像データを、前記データベースの前記所定の領域に記憶し、
前記電話網を介した前記コントローラと前記携帯端末装置との間の音声信号の通信が継続された状態で、前記携帯端末装置のインターネット通信制御手段が、前記インターネット網を介して前記ＵＲＬにアクセスし、前記携帯端末装置のインターネット通信制御手段が、コマンドを前記コントローラに送信し、
前記コントローラのインターネット通信制御手段が、前記コマンドにしたがって、前記所定の領域に記憶された画像データを、前記携帯端末装置に前記インターネット網を介して送信し、
前記携帯端末装置のインターネット通信制御手段が、前記インターネット網を介して送信された画像データを受信し、受信された画像データが、前記携帯端末装置の表示装置の画面上に表示されることを特徴とする通信システム。
【請求項６】
前記電話網を介した音声信号の通信が継続されている限り、前記コントローラの前記インターネット通信制御手段が、前記カメラにより撮影された画像データの、前記データベースへの記憶を繰り返すことを特徴とする請求項５に記載の通信システム。
【請求項７】
前記電話網を介した音声信号の通信が継続されている限り、前記携帯端末装置のインターネット通信制御手段が、コマンドを前記コントローラに繰り返し送信し、
前記コントローラのインターネット通信制御手段が、前記コマンドにしたがって、前記所定の領域に記憶された画像データのうち最新の画像データを、前記携帯端末装置に前記インターネット網を介して送信することを特徴とする請求項６に記載の通信システム。
【請求項８】
前記携帯端末装置のインターネット通信制御手段が、前記コントローラと前記携帯端末装置との間の音声通信回線が開設されたことに応答して、記憶装置に記憶された前記ＵＲＬを示す情報を読み出して、前記インターネット網を介して前記ＵＲＬにアクセスすることを特徴とする請求項１ないし７の何れか一項に記載の通信システム。
【請求項９】
携帯電話網を含む電話網を介した音声通信を制御する電話通信制御手段、および、前記携帯電話網を介することのないインターネット網を介したデータ通信を制御するインターネット通信制御手段を備え、前記電話通信制御手段と前記インターネット通信制御手段とが並列的に動作する携帯端末装置と、
前記インターネット網に接続されたサーバであって、ＵＲＬにより特定される所定の領域にデータを記憶することができるデータベースと、前記インターネット網を介した通信を制御するインターネット通信制御手段と、を備えたサーバと、
操作ボタン、マイク、スピーカおよびカメラを備えたインタホン子機と、インタホン親機とに接続されたコントローラであって、電話網を介した音声通信を制御する電話通信制御手段と、前記インターネット網を介したデータ通信を制御するインターネット通信制御手段と、前記インタホン子機のマイクからの音声信号およびカメラにより撮影された画像データを、前記インタホン親機に伝達するとともに、前記インタホン親機からの音声信号およびコマンドを受け付けて、前記音声信号を前記インタホン子機に伝達するとともに、前記コマンドに応じて、前記インタホン子機を制御する制御手段と、を備えたコントローラと、を有する通信システムにおいて、
前記コントローラの制御手段において、前記インタホン子機からの操作ボタンの操作或いはカメラによる撮影画像に基づく所定の信号を受信するステップと、
前記コントローラの電話通信制御手段において、前記電話網を使用して前記携帯端末装置の電話通信制御手段に発呼して、前記コントローラと前記携帯端末装置との間の音声通信回線を開き、前記インタホン子機からの音声信号を、前記携帯端末装置に伝達するとともに、前記携帯端末装置から電話網を介して伝達された音声信号を、前記インタホン子機に伝達するステップと、
前記コントローラの前記インターネット通信制御手段において、前記インターネット網を介して前記カメラにより撮影された画像データを、前記サーバに伝達するステップと、
前記サーバにおいて、前記データベースの前記所定の領域に、前記画像データを記憶するステップと、
前記電話網を介した前記コントローラと前記携帯端末装置との間の音声信号の通信が継続された状態で、前記携帯端末装置のインターネット通信制御手段において、前記インターネット網を介して前記ＵＲＬにアクセスし、前記携帯端末装置のインターネット通信制御手段が、コマンドを前記サーバに送信するステップと、
前記サーバのインターネット通信制御手段において、前記コマンドにしたがって、前記所定の領域に記憶された画像データを、前記携帯端末装置に前記インターネット網を介して送信するステップと、
前記携帯端末装置のインターネット通信制御手段において、前記インターネット網を介して送信された画像データを受信し、受信された画像データを、前記携帯端末装置の表示装置の画面上に表示させるステップと、を備えたことを特徴とする通信方法。
【請求項１０】
携帯電話網を含む電話網を介した音声通信を制御する電話通信制御手段、および、前記携帯電話網を介することのないインターネット網を介したデータ通信を制御するインターネット通信制御手段を備え、前記電話通信制御手段と前記インターネット通信制御手段とが並列的に動作する携帯端末装置と、
操作ボタン、マイク、スピーカおよびカメラを備えたインタホン子機と、インタホン親機とに接続されたコントローラであって、電話網を介した音声通信を制御する電話通信制御手段と、前記インターネット網を介したデータ通信を制御するインターネット通信制御手段と、前記インタホン子機のマイクからの音声信号およびカメラにより撮影された画像データを、前記インタホン親機に伝達するとともに、前記インタホン親機からの音声信号およびコマンドを受け付けて、前記音声信号を前記インタホン子機に伝達するとともに、前記コマンドに応じて、前記インタホン子機を制御する制御手段と、ＵＲＬにより特定される所定の領域にデータを記憶することができるデータベースと、を備えたコントローラと、を有する通信システムにおいて、
前記コントローラの制御手段において、前記インタホン子機からの操作ボタンの操作或いはカメラによる撮影画像に基づく所定の信号を受信するステップと、
前記コントローラの電話通信制御手段において、前記電話網を使用して前記携帯端末装置の電話通信制御手段に発呼して、前記コントローラと前記携帯端末装置との間の音声通信回線を開き、前記インタホン子機からの音声信号を、前記携帯端末装置に伝達するとともに、前記携帯端末装置から電話網を介して伝達された音声信号を、前記インタホン子機に伝達するステップと、
前記コントローラの制御手段において、前記カメラにより撮影された画像データを、前記データベースの前記所定の領域に記憶するステップと、
前記電話網を介した前記コントローラと前記携帯端末装置との間の音声信号の通信が継続された状態で、前記携帯端末装置のインターネット通信制御手段において、前記インターネット網を介して前記ＵＲＬにアクセスし、前記携帯端末装置のインターネット通信制御手段が、コマンドを前記コントローラに送信するステップと、
前記コントローラのインターネット通信制御手段において、前記コマンドにしたがって、前記所定の領域に記憶された画像データを、前記携帯端末装置に前記インターネット網を介して送信するステップと、
前記携帯端末装置のインターネット通信制御手段において、前記インターネット網を介して送信された画像データを受信し、受信された画像データを、前記携帯端末装置の表示装置の画面上に表示させるステップと、を備えたことを特徴とする通信方法。
【発明の詳細な説明】
【技術分野】
【０００１】
本発明は、携帯端末と、家庭内に配置された装置や機器との間のデータ通信システムおよびデータ通信方法に関する。
【背景技術】
【０００２】
家庭内に配置された装置や機器、たとえば、カメラ、家電製品などを、携帯電話によって制御する技術が知られている。たとえば、非特許文献１、非特許文献２には、ＦＯＭＡ（登録商標）の携帯電話と、カード型端末を装着した装置や機器との間で通信が可能であるようなシステムが提案されている。【０００３】
たとえば、カード型端末を装着したカメラが撮影した画像を、上記ＦＯＭＡ（登録商標）の携帯電話網を介して、携帯電話に送信し、携帯電話の表示装置の画面上に、カメラが撮影した画像を表示することができる。また、携帯電話のユーザは、携帯電話のキーを操作することによって、制御信号を上記携帯電話網を介して、カード型端末に送信することができる。これにより、カメラのパンニングなどを実現する。
【非特許文献１】“報道関係資料「ＦＯＭＡ  ＡＶユニット」を開発”、[online]、２００５年７月１２日、株式会社エヌ・ティ・ティ・ドコモ、［２００７年６月２０日検索］、インターネット<URL:http://www.nttdocomo.co.jp/info/news_release/page/20050712c.html>
【非特許文献２】“［ワイヤレスジャパン２００５Ｖｏｌ．３］ＮＴＴドコモ、ＦＯＭＡ  ＡＶユニットによる掃除機ロボットの遠隔操作をデモ”、[online]、２００５年７月１３日、ＡＳＣＩＩ２４  携帯２４  ケータイニュース、株式会社アスキー、［２００７年６月２０日検索］、インターネット<URL:http://akiba.ascii24.com/k-tai/news/2005/07/13/656958-000.html>
【発明の開示】
【発明が解決しようとする課題】
【０００４】
上記システムでは、ＦＯＭＡ（登録商標）という特定の携帯電話網を利用しており、上記携帯電話網が利用できない地域では、データ通信が出来ないという問題点がある。また、データ通信を可能とするためには、上記特定の携帯電話網の設備投資を要する。【０００５】
また、上記システムにおいては、単一の携帯電話網で、音声、画像および制御信号を伝送している。特に、制御信号は、いわゆるプッシュボタン音を使用するため、制御信号の精度はかならずしも良好ではない。また、プッシュボタン音による制御信号では、多種多様なコマンドやデータを携帯電話とカード型端末との間で送受信することができないという問題点があった。【０００６】
本発明は、既存の通信網を利用して設備投資を最小限とし、多種多様なコマンドやデータの通信が可能な通信システムおよび通信方法を提供することを目的とする。
【課題を解決するための手段】
【０００７】
本発明の目的は、携帯電話網を含む電話網を介した音声通信を制御する電話通信制御手段、および、前記携帯電話網を介することのないインターネット網を介したデータ通信を制御するインターネット通信制御手段を備え、前記電話通信制御手段と前記インターネット通信制御手段とが並列的に動作する携帯端末装置と、
前記インターネット網に接続されたサーバであって、ＵＲＬにより特定される所定の領域にデータを記憶することができるデータベースと、前記インターネット網を介した通信を制御するインターネット通信制御手段と、を備えたサーバと、
操作ボタン、マイク、スピーカおよびカメラを備えたインタホン子機と、インタホン親機とに接続されたコントローラであって、電話網を介した音声通信を制御する電話通信制御手段と、前記インターネット網を介したデータ通信を制御するインターネット通信制御手段と、前記インタホン子機のマイクからの音声信号およびカメラにより撮影された画像データを、前記インタホン親機に伝達するとともに、前記インタホン親機からの音声信号およびコマンドを受け付けて、前記音声信号を前記インタホン子機に伝達するとともに、前記コマンドに応じて、前記インタホン子機を制御する制御手段と、を備えたコントローラと、を有する通信システムであって、
前記コントローラの制御手段が、前記インタホン子機からの操作ボタンの操作或いはカメラによる撮影画像に基づく所定の信号を受信すると、前記コントローラの電話通信制御手段が、前記電話網を使用して前記携帯端末装置の電話通信制御手段に発呼して、前記コントローラと前記携帯端末装置との間の音声通信回線を開き、前記インタホン子機からの音声信号を、前記携帯端末装置に伝達するとともに、前記携帯端末装置から電話網を介して伝達された音声信号を、前記インタホン子機に伝達し、かつ、
前記コントローラの前記インターネット通信制御手段が、前記インターネット網を介して前記カメラにより撮影された画像データを、前記サーバに伝達し、前記サーバのデータベースの前記所定の領域に記憶させ、
前記電話網を介した前記コントローラと前記携帯端末装置との間の音声信号の通信が継続された状態で、前記携帯端末装置のインターネット通信制御手段が、前記インターネット網を介して前記ＵＲＬにアクセスし、前記携帯端末装置のインターネット通信制御手段が、コマンドを前記サーバに送信し、
前記サーバのインターネット通信制御手段が、前記コマンドにしたがって、前記所定の領域に記憶された画像データを、前記携帯端末装置に前記インターネット網を介して送信し、
前記携帯端末装置のインターネット通信制御手段が、前記インターネット網を介して送信された画像データを受信し、受信された画像データが、前記携帯端末装置の表示装置の画面上に表示されることを特徴とする通信システムにより達成される。【０００８】
好ましい実施態様においては、前記電話網を介した音声信号の通信が継続されている限り、前記コントローラの前記インターネット通信制御手段が、前記インターネット網を介して前記カメラにより撮影された画像データの前記サーバへの伝達を繰り返す。【０００９】
また、より好ましい実施態様においては、前記電話網を介した音声信号の通信が継続されている限り、前記携帯端末装置のインターネット通信制御手段が、コマンドを前記サーバに繰り返し送信し、
前記サーバのインターネット通信制御手段が、前記コマンドにしたがって、前記所定の領域に記憶された画像データのうち最新の画像データを、前記携帯端末装置に前記インターネット網を介して送信する。【００１０】
別の好ましい実施態様においては、前記コントローラが家電製品およびセンサに接続され、前記コントローラの制御手段が、前記家電製品およびセンサのオン・オフの制御を含む制御信号を生成して、前記家電製品およびセンサのそれぞれに、制御信号を出力するように構成され、
前記サーバのインターネット通信制御手段が、前記携帯端末装置からインターネット網を介して受信したコマンドを、前記インターネット網を介して、前記コントローラに転送し、
前記コントローラのインターネット通信制御手段が、前記コマンドを受信し、
前記コントローラの制御手段が、前記コマンドに基づいて、制御信号を生成する。【００１１】
また、本発明の目的は、携帯電話網を含む電話網を介した音声通信を制御する電話通信制御手段、および、前記携帯電話網を介することのないインターネット網を介したデータ通信を制御するインターネット通信制御手段を備え、前記電話通信制御手段と前記インターネット通信制御手段とが並列的に動作する携帯端末装置と、
操作ボタン、マイク、スピーカおよびカメラを備えたインタホン子機と、インタホン親機とに接続されたコントローラであって、電話網を介した音声通信を制御する電話通信制御手段と、前記インターネット網を介したデータ通信を制御するインターネット通信制御手段と、前記インタホン子機のマイクからの音声信号およびカメラにより撮影された画像データを、前記インタホン親機に伝達するとともに、前記インタホン親機からの音声信号およびコマンドを受け付けて、前記音声信号を前記インタホン子機に伝達するとともに、前記コマンドに応じて、前記インタホン子機を制御する制御手段と、ＵＲＬにより特定される所定の領域にデータを記憶することができるデータベースと、を備えたコントローラと、を有する通信システムであって、
前記コントローラの制御手段が、前記インタホン子機からの操作ボタンの操作或いはカメラによる撮影画像に基づく所定の信号を受信すると、前記コントローラの電話通信制御手段が、前記電話網を使用して前記携帯端末装置の電話通信制御手段に発呼して、前記コントローラと前記携帯端末装置との間の音声通信回線を開き、前記インタホン子機からの音声信号を、前記携帯端末装置に伝達するとともに、前記携帯端末装置から電話網を介して伝達された音声信号を、前記インタホン子機に伝達し、かつ、
前記コントローラの制御手段が、前記カメラにより撮影された画像データを、前記データベースの前記所定の領域に記憶し、
前記電話網を介した前記コントローラと前記携帯端末装置との間の音声信号の通信が継続された状態で、前記携帯端末装置のインターネット通信制御手段が、前記インターネット網を介して前記ＵＲＬにアクセスし、前記携帯端末装置のインターネット通信制御手段が、コマンドを前記コントローラに送信し、
前記コントローラのインターネット通信制御手段が、前記コマンドにしたがって、前記所定の領域に記憶された画像データを、前記携帯端末装置に前記インターネット網を介して送信し、
前記携帯端末装置のインターネット通信制御手段が、前記インターネット網を介して送信された画像データを受信し、受信された画像データが、前記携帯端末装置の表示装置の画面上に表示されることを特徴とする通信システムにより達成される。【００１２】
好ましい実施態様においては、前記電話網を介した音声信号の通信が継続されている限り、前記コントローラの前記インターネット通信制御手段が、前記カメラにより撮影された画像データの、前記データベースへの記憶を繰り返す。【００１３】
より好ましい実施態様においては、前記電話網を介した音声信号の通信が継続されている限り、前記携帯端末装置のインターネット通信制御手段が、コマンドを前記コントローラに繰り返し送信し、
前記コントローラのインターネット通信制御手段が、前記コマンドにしたがって、前記所定の領域に記憶された画像データのうち最新の画像データを、前記携帯端末装置に前記インターネット網を介して送信する。【００１４】
別の好ましい実施態様においては、前記携帯端末装置のインターネット通信制御手段が、前記コントローラと前記携帯端末装置との間の音声通信回線が開設されたことに応答して、記憶装置に記憶された前記ＵＲＬを示す情報を読み出して、前記インターネット網を介して前記ＵＲＬにアクセスする。【００１５】
また、本発明の目的は、携帯電話網を含む電話網を介した音声通信を制御する電話通信制御手段、および、前記携帯電話網を介することのないインターネット網を介したデータ通信を制御するインターネット通信制御手段を備え、前記電話通信制御手段と前記インターネット通信制御手段とが並列的に動作する携帯端末装置と、
前記インターネット網に接続されたサーバであって、ＵＲＬにより特定される所定の領域にデータを記憶することができるデータベースと、前記インターネット網を介した通信を制御するインターネット通信制御手段と、を備えたサーバと、
操作ボタン、マイク、スピーカおよびカメラを備えたインタホン子機と、インタホン親機とに接続されたコントローラであって、電話網を介した音声通信を制御する電話通信制御手段と、前記インターネット網を介したデータ通信を制御するインターネット通信制御手段と、前記インタホン子機のマイクからの音声信号およびカメラにより撮影された画像データを、前記インタホン親機に伝達するとともに、前記インタホン親機からの音声信号およびコマンドを受け付けて、前記音声信号を前記インタホン子機に伝達するとともに、前記コマンドに応じて、前記インタホン子機を制御する制御手段と、を備えたコントローラと、を有する通信システムにおいて、
前記コントローラの制御手段において、前記インタホン子機からの操作ボタンの操作或いはカメラによる撮影画像に基づく所定の信号を受信するステップと、
前記コントローラの電話通信制御手段において、前記電話網を使用して前記携帯端末装置の電話通信制御手段に発呼して、前記コントローラと前記携帯端末装置との間の音声通信回線を開き、前記インタホン子機からの音声信号を、前記携帯端末装置に伝達するとともに、前記携帯端末装置から電話網を介して伝達された音声信号を、前記インタホン子機に伝達するステップと、
前記コントローラの前記インターネット通信制御手段において、前記インターネット網を介して前記カメラにより撮影された画像データを、前記サーバに伝達するステップと、
前記サーバにおいて、前記データベースの前記所定の領域に、前記画像データを記憶するステップと、
前記電話網を介した前記コントローラと前記携帯端末装置との間の音声信号の通信が継続された状態で、前記携帯端末装置のインターネット通信制御手段において、前記インターネット網を介して前記ＵＲＬにアクセスし、前記携帯端末装置のインターネット通信制御手段が、コマンドを前記サーバに送信するステップと、
前記サーバのインターネット通信制御手段において、前記コマンドにしたがって、前記所定の領域に記憶された画像データを、前記携帯端末装置に前記インターネット網を介して送信するステップと、
前記携帯端末装置のインターネット通信制御手段において、前記インターネット網を介して送信された画像データを受信し、受信された画像データを、前記携帯端末装置の表示装置の画面上に表示させるステップと、を備えたことを特徴とする通信方法により達成される。【００１６】
さらに、本発明の目的は、携帯電話網を含む電話網を介した音声通信を制御する電話通信制御手段、および、前記携帯電話網を介することのないインターネット網を介したデータ通信を制御するインターネット通信制御手段を備え、前記電話通信制御手段と前記インターネット通信制御手段とが並列的に動作する携帯端末装置と、
操作ボタン、マイク、スピーカおよびカメラを備えたインタホン子機と、インタホン親機とに接続されたコントローラであって、電話網を介した音声通信を制御する電話通信制御手段と、前記インターネット網を介したデータ通信を制御するインターネット通信制御手段と、前記インタホン子機のマイクからの音声信号およびカメラにより撮影された画像データを、前記インタホン親機に伝達するとともに、前記インタホン親機からの音声信号およびコマンドを受け付けて、前記音声信号を前記インタホン子機に伝達するとともに、前記コマンドに応じて、前記インタホン子機を制御する制御手段と、ＵＲＬにより特定される所定の領域にデータを記憶することができるデータベースと、を備えたコントローラと、を有する通信システムにおいて、
前記コントローラの制御手段において、前記インタホン子機からの操作ボタンの操作或いはカメラによる撮影画像に基づく所定の信号を受信するステップと、
前記コントローラの電話通信制御手段において、前記電話網を使用して前記携帯端末装置の電話通信制御手段に発呼して、前記コントローラと前記携帯端末装置との間の音声通信回線を開き、前記インタホン子機からの音声信号を、前記携帯端末装置に伝達するとともに、前記携帯端末装置から電話網を介して伝達された音声信号を、前記インタホン子機に伝達するステップと、
前記コントローラの制御手段において、前記カメラにより撮影された画像データを、前記データベースの前記所定の領域に記憶するステップと、
前記電話網を介した前記コントローラと前記携帯端末装置との間の音声信号の通信が継続された状態で、前記携帯端末装置のインターネット通信制御手段において、前記インターネット網を介して前記ＵＲＬにアクセスし、前記携帯端末装置のインターネット通信制御手段が、コマンドを前記コントローラに送信するステップと、
前記コントローラのインターネット通信制御手段において、前記コマンドにしたがって、前記所定の領域に記憶された画像データを、前記携帯端末装置に前記インターネット網を介して送信するステップと、
前記携帯端末装置のインターネット通信制御手段において、前記インターネット網を介して送信された画像データを受信し、受信された画像データを、前記携帯端末装置の表示装置の画面上に表示させるステップと、を備えたことを特徴とする通信方法により達成される。
【発明の効果】
【００１７】
本発明によれば、既存の通信網を利用して設備投資を最小限とし、多種多様なコマンドやデータの通信が可能な通信システムおよび通信方法を提供することが可能となる。
【発明を実施するための最良の形態】
【００１８】
以下、添付図面を参照して、本発明の実施の形態について説明する。図１は、本発明の第１の実施の形態にかかるデータ通信システムの概略を示すブロックダイヤグラムである。本実施の形態においては、携帯端末装置１０と、家庭側装置群２０中の装置との間で、後述するような通信網を介したデータ通信が可能となっている。【００１９】
図１に示すように、本実施の形態にかかるデータ通信システムは、携帯端末装置１０、および、センタ装置１６、家庭側装置群２０を有する。携帯端末装置１０は、インターネット網１２および携帯電話網１４の双方に同時に接続できる。本実施の形態においては、携帯電話網１４は、音声の伝送ができるものであれば良い。また、携帯端末装置１０は、従来の携帯電話のように、後述するように、携帯端末網１４およびゲートウェイを介することなく、インターネット網１２に接続することができる。ここにいう、インターネット網１２への接続は、携帯電話網１４以外の無線ＬＡＮ（図示せず）などの網を介することで実現できる。【００２０】
センタ装置１６は、サーバ２２および電話サーバ２４を備える。サーバ２２は、たとえば、以下のような機能を有している。【００２１】
サーバ２２は、家庭側装置群２０のコントローラ３０（図２）からインターネット網１２を介したデータをデータベース（図示せず）に記憶し、また、携帯端末装置１０にデータを送信する。この際に、携帯端末装置１０の機種に応じて、データの形式（フォーマット）を調整する。画像データであれば、画像のサイズ調整が含まれる。【００２２】
また、サーバ２２は、携帯端末装置１０からインターネット網１２を介して送信された制御情報（コマンド）を受け入れて、家庭側装置群２０に送信する。【００２３】
電話サーバ２４は、携帯端末装置１０と家庭側装置群２０との間の携帯電話網１４を介した電話通報を制御する。また、携帯端末装置１０における通話記録や家庭側装置群２０の通話記録などをデータベースに記憶する。【００２４】
さらに、電話サーバ２４は、たとえば、複数相手に電話通報する必要がある場合などに、当該複数相手（携帯端末装置１０および家庭側装置群２０）への通報を制御することもできる。また、電話サーバ２４は、データベース（図示せず）を備え、携帯電話１０や家庭側装置群２０から伝送された音声を記憶することもできる。【００２５】
図２は、本実施の形態にかかる家庭側装置群２０の構成例を示すブロックダイヤグラムである。図２に示すように、家庭側装置群２０は、コントローラ３０、スプリッタ３２、モデム３４、インタホン親機３６、玄関側インタホン子機３８、家電製品・各種センサ４０、電話機４２などを含む。【００２６】
本実施の形態においては、家庭側装置群２０は、ＡＤＳＬ／電話網１８と接続されるため、スプリッタ３２によって、音声周波数帯域の信号と、データ通信用の高周波数帯の信号とが分離され、データ通信用の高周波帯の信号が、モデム３４に与えられる。【００２７】
本実施の形態にかかるコントローラ３０は、インタホン子機３８のボタン操作やカメラ３９が撮影した画像を受け入れ、インタホン親機３６に表示させ、これらの間の音声や画像通信を制御することができる。また、コントローラ３０は、インタホン子機３８からの音声や画像を、後述するように、携帯端末装置１０に送信し、また、携帯端末装置１０から音声や制御情報（コマンド）を受信することができる。【００２８】
また、コントローラ３０は、スプリッタ３２を介して携帯電話網１４と接続することができるとともに、モデム３４およびスプリッタ３２を介してインターネット網１２と接続することができる。インターネット網１２を介した通信では、コントローラ３０は、ＴＣＰ／ＩＰにしたがう。【００２９】
なお、本実施の形態において、インターネット網１２からのデータは、ＡＤＳＬ／電話網１８を介してコントローラ３０に伝達されている。しかしながら、ＡＤＳＬ／電話網１８においても、インターネット網１２からのデータは、通常の電話通信の音声信号とは別個に通信されている。したがって、インターネット網１２およびＡＤＳＬ／電話網１８を介した通信を、インターネット網１２を介した通信と称する。【００３０】
その一方、携帯電話網１４を介した通信も、実際には、携帯電話網１４およびＡＤＳＬ／電話網１８を介しているが、単に、携帯電話網を介した通信と称する。【００３１】
本実施の形態においては、コントローラ３０とインタホン親機３６との間、コントローラ３０とインタホン子機３８との間でも、ＴＣＰ／ＩＰにしたがったデータ通信が実現される。【００３２】
玄関に設置されたカメラ３９を備えたインタホン子機３８の画像データおよび音声信号を、コントローラ３０が受け入れる。コントローラ３０は、画像データをデータサーバ２２およびインターネット網１２を介して携帯端末装置１０に送信するとともに、音声信号を、携帯電話網１４を介して携帯端末装置１０に送信する。【００３３】
なお、画像データの送信は、上述したようにＴＣＰ／ＩＰに従う。また、音声データの送信は、携帯電話の方式に従う。また、本明細書において、音声は携帯電話網１４を介して伝送されるものであるため、その信号を便宜上「音声信号」と記載しているが、これはディジタル信号であって良いことは言うまでも無い。【００３４】
また、携帯端末装置１０からの音声信号は、携帯電話網１４を介して家庭側装置群２０に送信され、スプリッタ３２を介してコントローラ３０に受け入れられる。コントローラ３０により受け入れられた音声信号は、たとえば、インタホン子機３８のマイク兼用スピーカ４１から再生される。【００３５】
図３は、本実施の形態にかかる携帯端末装置の構成例を示すブロックダイヤグラムである。図３に示すように、本実施の形態にかかる携帯端末装置１０は、ＣＰＵ５０、入力装置５２、表示装置５４、電話通信回路５６、インターネット通信回路５８、音声処理回路６０、スピーカ６２、マイク６４およびメモリ６５を有する。ＣＰＵ５０、入力装置５２、表示装置５４、電話通信回路５６、インターネット通信回路５８、音声処理回路６０およびメモリ６５は、バス７０を介して接続される。【００３６】
本実施の形態においては、マイク６４を介して入力された音声信号は電話通信回路５６を介してアンテナ６６から送信される。同様に、アンテナ６６で受信した音声信号は、電話通信回路５６を介してスピーカ６２から放音される。【００３７】
また、入力装置５２により操作されて入力された文字などを含む制御情報は、インターネット通信回路５８を介してアンテナ６８から送信される。また、アンテナ６８で受信した画像データなどは、インターネット通信回路５８を介して表示装置５４の画面上に表示される。  本実施の形態においては、電話通信回路５６およびインターネット通信回路５８は同時に動作することができる。これにより、電話通信回路５６を利用した音声通信と、インターネット通信回路５８を利用した制御情報や画像データの通信とを同時並列的に実現する。【００３８】
また、本実施の形態において、携帯端末装置１０は、所定のＵＲＬにアクセスしてサーバ２２にログインし、コントローラ３０からの画像データが記憶されたサーバ２２のデータベース中の所定の領域に記憶された画像データの送信を要求するようなプログラム（スクリプト）をメモリ６５に記憶している。なお、本実施の形態では、携帯端末装置１０には、いわゆるスクリプト言語で記述されたプログラムであるスクリプトを記憶しているが、プログラムの形態はこれに限定されるものではない。【００３９】
図４は、本実施の形態にかかるコントローラ３０の構成例を示すブロックダイヤグラムである。図４に示すように、コントローラ３０は、オートダイヤラー制御部７２と、ＴＣＰ／ＩＰ通信制御部７４と、データ変換部７６と、ＰＯＥ制御部７８と、入出力制御部８０と、を有している。【００４０】
オートダイヤラー制御部７２は、コントローラ３０のメモリ（図４には図示せず）に記憶された携帯端末装置１０の電話番号をダイヤルし、携帯電話網１４を介した音声信号の通信を制御する。ＴＣＰ／ＩＰ通信制御部７４は、インターネット網１２を介した画像データや制御情報の通信を制御する。【００４１】
データ変換部７６は、ＴＣＰ／ＩＰに準拠するようにデータを変換し、或いは、ＴＣＰ／ＩＰに準拠しない機器にデータを与えられるように、当該機器のフォーマットにしたがってデータを変換する。ＰＯＥは、Ｐｏｗｅｒ  ｏｖｅｒ  Ｅｔｈｅｒｎｅｔ（登録商標）の略である。ＰＯＥ制御部７８は、インタホン親機３６およびインタホン子機３８との間を接続するＬＡＮケーブルにデータおよび電源を供給することを制御している。これにより、インタホン親機３６およびインタホン子機３８は、別途電源線を利用する必要なく動作することが可能である。【００４２】
このように構成されたコントローラ３０を利用した音声通信およびデータ通信について説明する。【００４３】
通常は、インタホン親機３６とインタホン子機３８とが、コントローラ３０を介して通信している。たとえば、外部からの訪問者が、インタホン子機３８のボタンを操作し、或いは、インタホン子機３８のカメラ３９が撮影した画像からインタホン子機３８が、訪問者を検出した場合には、ボタン操作を示すデータや訪問者の検出を示すデータが、インタホン子機３８からコントローラ３０を介してインタホン親機３６に伝達される。【００４４】
また、インタホン子機３８のマイク兼用スピーカ４１に入力された音声信号も、コントローラ３０を介してインタホン親機３６に伝達され、インタホン親機３６のスピーカ（図示せず）から音声が発せられる。同様に、インタホン親機３６のマイクロフォン（図示せず）に入力された音声も、コントローラ３０を介してインタホン子機３８に伝達され、インタホン子機３８のマイク兼用スピーカ４０から音声が発せられる。【００４５】
また、インタホン親機３６のボタン操作によって、インタホン親機３６からコントローラ２０にはコマンドが与えられる。コントローラ３０は、コマンドに応じて、インタホン子機３８に接続されたカメラ３９のズームイン、ズームアウト、パンニング、各種センサのオン・オフ、玄関ドアの施錠・解放などを実行することができる。【００４６】
コントローラ３０を介したインタホン親機３６とインタホン子機３８とのデータや音声信号の通信は、上述したようにＴＣＰ／ＩＰにしたがっている。【００４７】
ユーザが外出などで不在の場合には、ユーザは、たとえば、インタホン親機３６のキーを操作して、通常の動作モード（インタホン親機３６とインタホン子機３８との間で通信がなされるモード）から外出モードに切り替えると、モード切替情報が、コントローラ３０に伝達され、コントローラ３０は外出モードの下で動作する。【００４８】
以下、第１の実施の形態にかかるコントローラ３０を介した通信を、図５〜図７のフローチャートを参照して説明する。図５に示すように、外部からの訪問者が、インタホン子機３８のボタンを操作し、或いは、インタホン子機３８のカメラ３９が撮影した画像からインタホン子機３８が、訪問者を検出した場合には（ステップ５０１）、ボタン操作を示す信号や検出結果を示す情報が、インタホン子機３８からコントローラ３０に伝達される（ステップ５０２）。【００４９】
コントローラ３０のオートダイヤラー制御部７２は、コントローラ３０のメモリ（図示せず）に予め記憶されていたユーザの電話番号を参照して、携帯電話網１４を利用して携帯端末装置１０にダイヤルする（ステップ５０３、５０４）。これにより、携帯端末装置１０は発呼され、ユーザが通話開始の操作をすることにより、コントローラ３０と携帯端末装置１０との間で、携帯電話網１４を介した通信回線が開かれる（ステップ５０５）。【００５０】
インタホン子機３８のマイク兼用スピーカ４１により受け入れられた訪問者の音声は、インタホン子機３８からコントローラ３０に、ＴＣＰ／ＩＰにしたがって伝達される。コントローラ３０は、データ変換部７６は、ＴＣＰ／ＩＰにしたがった音声信号を、携帯電話網１４を介して伝送可能な音声信号に変換して、オートダイヤラー制御部７２を介して携帯電話網１４に送出する。携帯電話網１４を伝送された音声信号は携帯端末装置１０の電話通信回路５６により受信されて、携帯端末装置１０のスピーカ６２から、訪問者の音声が再生される。【００５１】
また、携帯端末装置１０のマイク６４により受け入れられたユーザの音声は、電話通信回路５６から携帯電話網１４に送出される。携帯電話網１４を伝送された音声信号は、コントローラ３０により受信される。コントローラ３０のデータ変換部７６は、受信した音声信号を、ＴＣＰ／ＩＰにしたがった音声信号に変換して、変換された音声信号をインタホン子機３８に伝達する。これにより、インタホン子機３８のマイク兼用スピーカ４１から、ユーザの音声が再生される。【００５２】
このようにして、インタホン子機３８と携帯端末装置１０との間で、コントローラ３０を介した音声による通信が実現される（ステップ５０６）。なお、図５〜図７において、携帯電話網１４を利用した通信を破線にて示す。【００５３】
インタホン子機３８のカメラ３９が撮影した画像は、コントローラ３０に伝達され（ステップ５０７）、さらに、コントローラ３０からサーバ２２に、インターネット網１２を介して伝達される（ステップ５０８）。【００５４】
より詳細には、カメラ３９が撮影した画像の画像データは、ＴＣＰ／ＩＰにしたがって、コントローラ３０に伝達される。画像データは、ＴＣＰ／ＩＰにしたがってインターネット網１２に送出されるため、データ変換部７６によるデータ変換は行われず、ＴＣＰ／ＩＰ通信制御部７４は、画像データをサーバ２２に伝達する。【００５５】
サーバ２２は、画像データを受け入れると、画像データに所定の情報（たとえば、ファイル名や、撮影時刻を示すタイムスタンプ）を付加して、画像データを、データベースの所定の領域に格納する（ステップ５０９）。データベースにおける上記所定の領域は、ＵＲＬにより特定できる。また、ＵＲＬは、データ送信元となるコントローラ３０と関連付けられて、サーバ２２のデータベースに記憶されている。これにより、コントローラ３０から伝達された画像データは、所定のＵＲＬにより特定されるデータベースの領域に記憶することができる。【００５６】
なお、インタホン子機３８のカメラ５９により撮影された画像データのコントローラ３０への伝達、および、コントローラ３０からサーバ２２への画像データの伝達およびサーバ２２における画像データのデータベースへの記憶（ステップ５０７〜５０９）は、携帯電話網１４を介したコントローラ３０と携帯端末装置１０との間の音声信号の通信が継続されている限り繰り返されるのが望ましい。【００５７】
図６に示すように、インタホン子機３８と携帯端末装置１０との間でコントローラ３０および携帯電話網１４を介した通信（音声信号の通信）が継続されている状態で（ステップ６００）、ユーザは、携帯端末装置１０の入力装置５２を操作して、インターネット網１２を介して、サーバ２２にアクセスすることができる。【００５８】
前述したように、本実施の形態にかかる携帯端末装置１０は、所定のＵＲＬにアクセスしてサーバ２２にログインし、コントローラ３０からの画像データが記憶されたサーバ２２のデータベース中の所定の領域に記憶された画像データの送信を要求するようなプログラム（スクリプト）をメモリ６５中に記憶している。【００５９】
たとえば、ユーザが携帯端末装置１０の入力装置５２を操作して、携帯端末装置１０に、メモリ６５に記憶されたスクリプトを読み出させ、スクリプトを実行させると、携帯端末装置１０のインターネット通信回路５８は、インターネット網１２を介して、サーバ２２の所定のＵＲＬにアクセスする。携帯端末装置１０のインターネット通信回路５８において、スクリプトによってメモリに記憶されたユーザＩＤやパスワードを読み出され、インターネット通信回路５８が、ユーザＩＤやパスワードをコントローラ３０に送信する（ステップ６０１）。これにより、携帯端末装置１０はサーバ２２にログインすることができる（ステップ６０２）。【００６０】
インタホン子機３８のカメラ３９により撮影された画像の画像データは、定期的に、コントローラ３０を介して、サーバ２２に伝達され、サーバ２２のデータベースの所定の領域に記憶される（ステップ６０３〜６０５）。ステップ６０３〜６０５は、図５のステップ５０７〜５０９と同様である。【００６１】
なお、ユーザが、携帯端末装置１０の通話開始の操作をすること（ステップ５０５）によって、携帯端末装置１０のスクリプトが自動的に読み出され、携帯端末装置１０のメモリに記憶されたＵＲＬを示す情報に基づいて、携帯端末装置１０のインターネット通信回路５８が、ＵＲＬにアクセスしても良い。【００６２】
携帯端末装置１０のスクリプトによって、携帯端末装置１０のインターネット通信回路５８は、ログインの後、定期的に或いはユーザの携帯端末装置１０の操作に応答して、サーバ２２に対して、画像データの送信要求を送信する（ステップ６０６）。サーバ２２は、データベースの所定の領域に記憶された画像データのそれぞれに付加されたタイムスタンプを参照して、最新の画像データを検索し、検索された画像データを、携帯端末装置１０に送信する（ステップ６０７、６０８）。【００６３】
携帯端末装置１０のインターネット通信回路５８が画像データを受信する。受信した画像データに対応する画像は、表示装置５４の画面上に表示される（ステップ６０９）。【００６４】
なお、インターネット通信回路５８によるサーバ２２に対する画像データの送信要求（ステップ６０６）、携帯電話網１４を介した携帯端末装置１０とコントローラ３０との間の音声信号の通信が継続される限り繰り返されるのが望ましい。【００６５】
このように、本実施の形態によれば、携帯電話網１４を利用した通信を継続した状態で、インターネット網１２を介して画像データを携帯端末装置１０が受信することができる。また、インタホン子機３８のカメラ３９により撮影された画像データが定期的にサーバ２２に送信され、携帯端末装置１０が、定期的にサーバ２２の画像データを送信要求し、画像データを受信することで、カメラ３９により撮影された最新の画像を、携帯端末装置１０において確認することが可能となる。【００６６】
また、本実施の形態において、携帯端末装置１０とインタホン子機３８との間で音声信号の通信が継続されている状態で、携帯端末装置１０からコントローラ３０に対して制御情報（コマンド）を送信することもできる。【００６７】
図７に示すように、インタホン子機３８と携帯端末装置１０との間でコントローラ３０および携帯電話網１４を介した通信（音声信号の通信）が継続されている状態で（ステップ７００）、ユーザが携帯端末装置１０の入力装置５２を操作することで、コマンドを入力することができる（ステップ７０１）。【００６８】
たとえば、サーバ２２から携帯端末装置１０に送信される画像データに、コマンドアイコンを含めておく。サーバ２２は、コマンドアイコンと、当該コマンドアイコンが指定されたときに実行すべき動作とを関連付けて、データベースに予め記憶しておけばよい。携帯端末装置１０のユーザは、表示装置５４の画像に表示されたコマンドアイコンのうち、所望のものを指定することにより、サーバ２２にコマンドを伝達することができる。【００６９】
たとえば、コマンドには、コントローラ３０に接続された機器の制御、および、サーバ２２のデータベースに記憶された画像データに対する指示が含まれる。より詳細には、機器の制御には、インタホン子機３８に接続されたカメラ３９のズームイン、ズームアウト、パンニング、各種センサのオン・オフ、玄関ドアの施錠・解放、コントローラ３０に接続された家電機器のオン・オフが含まれる。また、画像データに対する指示には、サーバ２２のデータベースに保存された過去の画像データの参照や、画像ファイルに別途ファイル名を付して保存することなどが含まれる。【００７０】
ユーザが入力したコマンドは、インターネット網１２を介してサーバ２２に伝達される（ステップ７０２）。サーバ２２は、コマンドを受信すると、当該コマンドを転送すべき場合には、インターネット網１２を介してコントローラ３０に転送する（ステップ７０３、７０４）。        
コントローラ３０のＴＣＰ／ＩＰ通信制御部７４がコマンドを受信すると、コントローラ３０においてはコマンドに応じた機器の制御が行われる（ステップ７０５）。データ変換部７６は、制御対象の機器に応じたフォーマットの制御信号を生成する。制御信号は、ＰＯＥ制御部７８や入出力制御部８０から出力される。これにより、コマンドにしたがって制御対象となる機器が制御される。【００７１】
また、コマンドがサーバ２２のデータベースに記憶された画像データに関するものであれば、サーバ２２はコマンドに応じて動作する。たとえば、携帯端末装置１０からデータベースに記憶された過去の画像データの要求であれば（ステップ７１１）、サーバ２２は、データベースに記憶された画像データのそれぞれに付加されたタイムスタンプを参照して、要求にしたがった画像データを検索し、検索された画像データを、携帯端末装置１０に送信する（ステップ７１２、７１３）。携帯端末装置１０のインターネット通信回路５８が画像データを受信する。受信した画像データに対応する画像は、表示装置５４の画面上に表示される（ステップ７１４）。【００７２】
本実施の形態によれば、携帯電話網１４を利用した音声による通信を継続した状態で、インターネット網１２を介してコントローラ３０やサーバ２２に対してコマンドを送信し、所望の動作をさせることが可能となる。特に、画像中にコマンドアイコンを表示し、そのコマンドアイコンを指定することでコマンドが送信されるように構成すれば、ユーザは、最低限の操作でコマンドを入力することができる。【００７３】
また、本実施の形態においては、画像データおよびコマンドは、携帯電話網１４を介して、音声信号とともに送信されるのではなく、ＴＣＰ／ＩＰにしたがって、インターネット網１２を介してコントローラ３０、サーバ２２および携帯端末装置１０の間で送受信される。したがって、より多量の画像データや、多種多様なコマンドを、上記機器の間で送受信することが可能となる。さらに、画像データおよびコマンドは、インターネット網１２を介して送受信されるため、上述するように、画像上にコマンドアイコンを表示し、コマンドアイコンを指定することでコマンドの送信が可能となる。【００７４】
次に、本発明の第２の実施の形態について説明する。第１の実施の形態においては、インターネット網１２を介してデータ通信は、サーバ２２を介して、実現されるが、第２の実施の形態においては、サーバを介することなく、コントローラと携帯端末装置との間で直接データ送受信がなされる。【００７５】
したがって、図１にかかるブロックダイヤグラムにおいて、センタ装置１６のサーバ２２が省略された形態となる。図８は、第２の実施の形態にかかるコントローラの構成を示すブロックダイヤグラムである。図８において、第１の実施の形態にかかるコントローラ３０と同一の構成部分については同一の符号を付している。図８に示すように、第２の実施の形態にかかるコントローラ３０は、オートダイヤラー制御部７２、ＴＣＰ／ＩＰ通信制御部１７４、データ変換部１７６、ＰＯＥ制御部７８、入出力制御部１８０、ログイン処理部１０２およびデータベース１０４を有する。【００７６】
ログイン処理部１０２は、データベース１０４に記憶されたユーザ情報（ユーザＩＤやパスワード）を参照して、ログイン操作があった携帯端末装置１０を認証し、認証結果に基づいてログインの可否を判断する。また、データベース１０４は、上記ユーザ情報のほか、インタホン子機３８のカメラ３９により撮影された画像の画像データ、各種センサにより検知された情報、各種センサに与えられた制御情報、家電製品から受け入れた家電製品の状態を示す情報、家電製品に与えられた制御情報などが、情報を与え或いは受け入れた時刻を示すタイムスタンプを付加されて記憶されている。【００７７】
データ変換部１７６は、インタホン子機３８から受け入れた画像データをデータベース１０４に記憶する。また、入出力制御部１８０は、各種センサから与えられた検知情報、各種センサに与えられた制御情報、家電製品から受け入れた家電製品の状態を示す情報、家電製品に与えられた制御情報などをデータベース１０４に記憶する。【００７８】
データ変換部１７６や入出力制御部１８０から与えられた情報は、データベース１０４の所定の領域に格納され、携帯端末装置１０が所定のＵＲＬにアクセスすることにより取得され得る。【００７９】
以下、第２の実施の形態にかかるコントローラ３０を介した通信を、図９〜図１０のフローチャートを参照して説明する。図９のステップ９０１〜９０６は、図５のステップ５０１〜５０６と同様である。【００８０】
インタホン子機３８のマイク兼用スピーカ４１により受け入れられた訪問者の音声は、インタホン子機３８からコントローラ１３０に、ＴＣＰ／ＩＰにしたがって伝達される。コントローラ３０は、データ変換部１７６は、ＴＣＰ／ＩＰにしたがった音声信号を、携帯電話網１４を介して伝送可能な音声信号に変換して、オートダイヤラー制御部７２を介して携帯電話網１４に送出する。携帯電話網１４を伝送された音声信号は携帯端末装置１０の電話通信回路５６により受信されて、携帯端末装置１０のスピーカ６２から、訪問者の音声が再生される。【００８１】
また、携帯端末装置１０のマイク６４により受け入れられたユーザの音声は、電話通信回路５６から携帯電話網１４に送出される。携帯電話網１４を伝送された音声信号は、コントローラ３０により受信される。コントローラ３０のデータ変換部１７６は、受信した音声信号を、ＴＣＰ／ＩＰにしたがった音声信号に変換して、変換された音声信号をインタホン子機３８に伝達する。これにより、インタホン子機３８のマイク兼用スピーカ４１から、ユーザの音声が再生される。【００８２】
このようにして、インタホン子機３８と携帯端末装置１０との間で、コントローラ１３０を介した音声による通信が実現される（ステップ９０６）。【００８３】
インタホン子機３８のカメラ３９が撮影した画像は、コントローラ１３０に伝達される（ステップ９０７）。コントローラ１３０のデータ変換部１７６は、画像データに所定の情報（たとえば、ファイル名や、撮影時刻を示すタイムスタンプ）を付加して、データベース１０４中の所定の領域に記憶する（ステップ９０８）。なお、画像データは、ＴＣＰ／ＩＰにしたがった形式であるので、ステップ９０８において、特にデータ形式の変換が行われる必要は無い。【００８４】
第２の実施の形態においても、インタホン子機３８と携帯端末装置１０との間でコントローラ１３０および携帯電話網１４を介した通信（音声信号の通信）が継続されている状態で、ユーザは、携帯端末装置１０の入力装置５２を操作して、インターネット網１２を介して、コントローラ１３２にアクセスすることができる。【００８５】
第１の実施の形態と同様に、第２の実施の形態にかかる携帯端末装置１０は、所定のＵＲＬにアクセスしコントローラ１３０にログインし、コントローラ３０のデータベース１０４中の所定の領域に記憶された画像データの送信を要求するようなスクリプトを、メモリ中に記憶している。【００８６】
ユーザが携帯端末装置１０の入力装置５２を操作して、携帯端末装置１０にスクリプトを読み出させることにより、携帯端末装置１０のインターネット通信回路５８は、インターネット網１２を介して、コントローラ１３０の所定のＵＲＬにアクセスする。携帯端末装置１０のインターネット通信回路５８からコントローラ１３０に対して、所定のユーザＩＤやパスワードが送られることにより（ステップ９１１）、携帯端末装置１０はコントローラ１３０にログインすることができる（ステップ９１２）。コントローラ１３０のログイン処理部１０２は、ログインに際して携帯端末装置１０から送信されたユーザＩＤやパスワードと、データベース１０４に記憶されたユーザＩＤやパスワードと照合して認証を行う。【００８７】
なお、ステップ９１１も、コントローラ１３０と携帯端末装置１０との間で携帯電話網１４を介した通信が開かれた段階で、スクリプトが自動的に起動されて実行されるように構成しても良い。【００８８】
また、インタホン子機３８のカメラ３９により撮影された画像の画像データは、定期的に、コントローラ１３０において、データベース１０４の所定の領域に記憶される。【００８９】
インタホン子機３８と携帯端末装置１０との間でコントローラ１３０および携帯電話網１４を介した通信（音声信号の通信）が継続されている状態で（ステップ１０００）、携帯端末装置１０のスクリプトによって、携帯端末装置１０は、ログインの後、定期的に或いはユーザの携帯端末装置１０の操作に応答して、コントローラ１３０に対して、画像データの送信要求を送信することができる（ステップ１００１）。コントローラ１３０は、データベース１０４の所定の領域に記憶された画像データのそれぞれに付加されたタイムスタンプを参照して、最新の画像データを検索し、検索された画像データを、携帯端末装置１０に送信する（ステップ１００２、１００３）。【００９０】
携帯端末装置１０のインターネット通信回路５８が画像データを受信する。受信した画像データに対応する画像は、表示装置５４の画面上に表示される（ステップ１００４）。【００９１】
第２の実施の形態では、サーバ２２を介在させることなく、コントローラ１３０と携帯端末装置１０との間でデータ通信し、コントローラ１３０から携帯端末装置１０に画像データを送信することができる。【００９２】
また、第２の実施の形態においても、インタホン子機３８と携帯端末装置１０との間でコントローラ１３０および携帯電話網１４を介した通信（音声信号の通信）が継続されている状態で、ユーザが携帯端末装置１０の入力装置５２を操作することで、コマンドを入力することができる（ステップ１０１１）。携帯端末装置１０の画面上へのコマンドアイコンの表示や、コマンドの種別については第１の実施の形態と同様である。【００９３】
コントローラ１３０のＴＣＰ／ＩＰ通信制御部１７４がコマンドを受信すると、コントローラ１３０においてはコマンドに応じた機器の制御が行われる（ステップ１０１３。データ変換部１７６は、制御対象の機器に応じたフォーマットの制御信号を生成する。制御信号は、ＰＯＥ制御部７８や入出力制御部１８０から出力される。これにより、コマンドにしたがって制御対象となる機器が制御される。【００９４】
また、コマンドがコントローラ１３０のデータベース１０４に記憶された画像データに関するもの、たとえば、データベースに記憶された過去の画像データの要求であれば（ステップ１０２１）、コントローラ１３０は、データベース１０４に記憶された画像データのそれぞれに付加されたタイムスタンプを参照して、要求にしたがった画像データを検索し、検索された画像データを、携帯端末装置１０に送信する（ステップ１０２２、１０２３）。携帯端末装置１０のインターネット通信回路５８が画像データを受信する。受信した画像データに対応する画像は、表示装置５４の画面上に表示される（ステップ１０２４）。【００９５】
なお、第２の実施の形態においても、ステップ９０７、９０８は（カメラにより撮影された画像のデータベースへの記憶）、および、ステップ１００１（携帯端末装置１０からコントローラ３０へのカメラ画像の送信要求）は、携帯電話網１４を介した携帯端末装置１０とコントローラ３０との間の音声信号の通信が継続されている限り繰り返されるのが望ましい。【００９６】
本発明は、以上の実施の形態に限定されることなく、特許請求の範囲に記載された発明の範囲内で、種々の変更が可能であり、それらも本発明の範囲内に包含されるものであることは言うまでもない。【００９７】
たとえば、前記実施の形態において、コントローラは、ＡＤＳＬ／電話網１８に接続され、音声信号はＡＤＳＬ／電話網１８および携帯電話網１２を介して携帯端末装置１０との間で送受信され、画像データや制御情報（コマンド）は、ＡＤＳＬ／電話網１８およびインターネット網１２を介して携帯端末装置１０との間で送受信される。【００９８】
そのため、たとえば、図２に示すように、コントローラ３０は、スプリッタ３２およびモデム３４と接続され、画像データは、モデム３４を経てスプリッタ３２により音声信号と重畳されてＡＤＳＬ／電話網１８に送出される。また、ＡＤＳＬ／電話網１８を介して伝送された制御情報（コマンド）は、スプリッタ３２により音声信号と分離され、モデム３４を経てコントローラ３０に受信される。【００９９】
しかしながら、上記構成に限定されるものではなく、コントローラが、携帯端末網１４に直接接続でき、かつ、インターネット網１２に直接接続できる場合には、スプリッタ３２やモデム３４は不要である。図１１は、本発明の他の実施の形態にかかるデータ通信システムの概略を示すブロックダイヤグラムである。図１および図２に示したデータ通信部システムの構成部材と同一のものには同一の符号を付している。【０１００】
図１１に示すように、この実施の形態においては、家庭側装置群１２０のコントローラ２３０は、無線ＬＡＮ（図示せず）を介してインターネット網１２に接続するための無線ＬＡＮカード２３１と、携帯電話網１４に接続するためのモバイルカード２３２を有している。これにより、インターネット網１２を介した画像データや制御情報（コマンド）は、無線ＬＡＮカード２３１により送受信され、携帯電話網１４を介した音声信号は、モバイルカード２３２により送受信される。
【図面の簡単な説明】
【０１０１】
【図１】図１は、本発明の第１の実施の形態にかかるデータ通信システムの概略を示すブロックダイヤグラムである。
【図２】図２は、本実施の形態にかかる家庭側装置群の構成例を示すブロックダイヤグラムである。
【図３】図３は、本実施の形態にかかる携帯端末装置の構成例を示すブロックダイヤグラムである。
【図４】図４は、本実施の形態にかかるコントローラの構成例を示すブロックダイヤグラムである。
【図５】図５は、本実施の形態にかかるコントローラを介した通信の例を示すフローチャートである。
【図６】図６は、本実施の形態にかかるコントローラを介した通信の例を示すフローチャートである。
【図７】図７は、本実施の形態にかかるコントローラを介した通信の例を示すフローチャートである。
【図８】図８は、第２の実施の形態にかかるコントローラの構成を示すブロックダイヤグラムである。
【図９】図９は、第２の本実施の形態にかかるコントローラを介した通信の例を示すフローチャートである。
【図１０】図１０は、第２の実施の形態にかかるコントローラを介した通信の例を示すフローチャートである。
【図１１】図１１は、本発明の他の実施の形態にかかるデータ通信システムの概略を示すブロックダイヤグラムである。
【符号の説明】
【０１０２】
１０      携帯端末装置
１２      インターネット網
１４      携帯電話網
１６      センタ装置
１８      ＡＤＳＬ／電話網
２０      家庭側装置群
３０      コントローラ
３２      スプリッタ
３４      モデム
３６      インタホン親機
３８      玄関側インタホン子機
３９      カメラ
４０      家電製品・各種センサ
４２      電話機
【図１】
2009022502.tif 000003
【図２】
2009022502.tif 000004
【図３】
2009022502.tif 000005
【図４】
2009022502.tif 000006
【図５】
2009022502.tif 000007
【図６】
2009022502.tif 000008
【図７】
2009022502.tif 000009
【図８】
2009022502.tif 000010
【図９】
2009022502.tif 000011
【図１０】
2009022502.tif 000012
【図１１】
2009022502.tif 000013
【国際調査報告】
2009022502.tif 000014
2009022502.tif 000015
2009022502.tif 000016